(57)【要約】      （修正有）【課題】プラスティックバンド本体の両端が互いに重ね接触面の熱溶解結合部で素早く溶解結合して固定し、且つ曲がって変形するのを避け、薄い帯状で柔らかく、適切な重ね溶解結合の強度に達するプラスティックバンド重ね溶接の構造を提供する。【解決手段】プラスティックバンド重ね溶接の構造はポリエチレン或いはポリプロピレンのプラスティックバンド本体１１の両端を重ね接触面１５の間に重ね、加熱ヘッドで素早く加熱を行うことで、重ね接触面に、熱溶解結合部１６及び未溶解結合部が分布して形成される。熱溶解結合部の表面積は少なくとも重ね接触面の表面積の５０％より大きく、未溶解結合部の表面積は、少なくとも重ね接触面の表面積の２０％より大きくする。未溶解結合部を使って、溶解過程においての熱溶解結合部の相対するサイドを遮ることで、加熱ヘッドが外向けに溶解したプラスティックを引っ張り出すのを阻止することができる。【選択図】図３
0003206731.tif 000002
【実用新案登録請求の範囲】
【請求項１】
本考案のプラスティックバンドを長方形直線状の縦方向に延伸するプラスティックバンド本体に設け、該プラスティックバンド本体は一つの第一端部、相対する一つの第二端部及び二つの相対して縦方向が平行であるサイドを具有し、該プラスティックバンド本体の第一端部、第二端部の表面の端をお互い重ねるために、重ね接触面を形成し、第一端部、第二端部が互いに重ね接触面の間で加熱を行うことで、重ね接触面に、熱溶解結合部及び未溶解結合部が分布して形成し、該熱溶解結合部の表面積は少なくとも重ね接触面の表面積の５０％より大きく、未溶解結合部の表面積は、少なくとも重ね接触面の表面積の２０％より大きくし、未溶解結合部を使って、溶解過程においての熱溶解結合部の相対するサイドを遮ることで、第一端部、第二端部が互いに重ね接触面と熱溶解結合部で素早く溶解結合して固定することを特徴とするプラスティックバンド重ね溶接の構造。
【請求項２】
前記熱溶解結合部は間隔を開けて複数個設置することを特徴とする請求項１記載のプラスティックバンド重ね溶接の構造。
【請求項３】
前記未溶解結合部は間隔を開けて複数個設置することを特徴とする請求項１記載のプラスティックバンド重ね溶接の構造。
【請求項４】
前記プラスティックバンド本体はポリエチレンバンド本体であり、該熱溶解結合部と未溶解結合部は互いに複数に交差排列して設置することを特徴とする請求項１記載のプラスティックバンド重ね溶接の構造。
【請求項５】
前記複数の熱溶解結合部はそれぞれ矩形に設けることを特徴とする請求項４記載のプラスティックバンド重ね溶接の構造。
【請求項６】
前記複数の熱溶解結合部はそれぞれ縦方向、或いは横方向、或いは斜め方向に延伸する長方形に設けることを特徴とする請求項４記載のプラスティックバンド重ね溶接の構造。
【考案の詳細な説明】
【技術分野】
【０００１】
本考案は一種のバンドの構造に関し、特に熱可塑性のプラスティックバンド専用の重ね溶接構造に関する。
【背景技術】
【０００２】
通常紙類のボックス本体で製品を梱包運送する際、ボックス本体が簡単に壊れるのを防止するため、或いは複数個のボックス本体或いは製品を集中固定する必要がある場合、通常プラスティックバンド或いは金属バンドで縛って梱包作業を行う。
【０００３】
目下のポリプロピレンの硬質プラスティックバンド或いは金属バンドでボックス本体或いは製品を梱包する際、必ず金属或いはプラスティックのストッパーにバンドを通し、更に外側に向けてしっかりとバンド本体を引っ張ることで、単一或いは多数のボックス本体及びその製品を縛って固定する。また、ポリプロピレン硬質プラスティックバンドは端を溶接する方法で一体に接続することもできる。ただ、目下のポリプロピレン硬質プラスティックバンド及び金属バンドの構造では、紙類のボックス本体を束ねて固定する際、多くは紙類のボックス本体の表面にダメージを与えることになり、精巧なギフトボックスと包装ボックスの製品に適用しないため、上述の技術を改善する必要があった。
【先行技術文献】
【特許文献】
【０００４】
【特許文献１】特開2013-133404号公報
【考案の概要】
【考案が解決しようとする課題】
【０００５】
前記公知構造の欠点を解決するため、本考案はポリエチレン或いはポリプロピレンのプラスティックバンドの両端を重ね接触面の間に重ね、加熱ヘッドで素早く加熱を行う。更に未溶解結合部を使って、溶解過程においての熱溶解結合部の相対するサイドを遮ることで、加熱ヘッドが外向けに溶解したプラスティックを引っ張り出すのを阻止することができるため、プラスティックバンド本体の両端と重ね接触面が熱溶解結合部で素早く溶解結合して固定し、且つ曲がって変形するのを避け、適切な重ね溶解結合の強度に達する。よって、プラスティックバンドは薄い帯状で柔らかくギフトボックス或いは包装ボックスを縛ることができ、強力で硬く包装ボックスを束ねることで紙材が変形損壊するのを避け、且つ物品が緩んで脱落するのを防止するプラスティックバンド重ね溶接の構造を提供することを主な課題とする。
【課題を解決するための手段】
【０００６】
前記課題を解決するために、本考案はプラスティックバンド重ね溶接の構造を提供するものである。プラスティックバンドを長方形直線状の縦方向に延伸するプラスティックバンド本体に設け、該プラスティックバンド本体は一つの第一端部、相対する一つの第二端部及び二つの相対して縦方向が平行であるサイドを具有する。該プラスティックバンド本体の第一端部、第二端部の表面の端をお互い重ねるために、重ね接触面を形成する。第一端部、第二端部が互いに重ね接触面の間にあって加熱することで、重ね接触面に熱溶解結合部及び未溶解結合部が分布して形成する。該熱溶解結合部の表面積は少なくとも重ね接触面の表面積の５０％より大きく、未溶解結合部の表面積は、少なくとも重ね接触面の表面積の２０％より大きくする。未溶解結合部を使って、溶解過程においての熱溶解結合部の相対するサイドを遮ることで、第一端部、第二端部が互いに重ね接触面と熱溶解結合部で素早く溶解結合して固定する。
【０００７】
前記プラスティックバンド重ね溶接の構造について、該熱溶解結合部は間隔を開けて複数個設置する。
【０００８】
前記プラスティックバンド重ね溶接の構造について、該未溶解結合部は間隔を開けて複数個設置する。
【０００９】
前記プラスティックバンド重ね溶接の構造について、該プラスティックバンド本体はポリエチレンバンド本体であり、該熱溶解結合部と未溶解結合部は互いに複数に交差排列して設置する。
【００１０】
前記プラスティックバンド重ね溶接の構造について、該複数の熱溶解結合部はそれぞれ矩形に設ける。
【００１１】
前記プラスティックバンド重ね溶接の構造について、該複数の熱溶解結合部はそれぞれ縦方向、或いは横方向、或いは斜め方向に延伸する長方形に設ける。
【考案の効果】
【００１２】
本考案の構造により、プラスティックバンドは薄い帯状で柔らかくギフトボックス或いは包装ボックスを縛ることができ、強力で硬く包装ボックスを束ねることで紙材が変形損壊するのを避け、且つ物品が緩んで脱落するのを防止し、製品の包装価値を高める。
【図面の簡単な説明】
【００１３】
【図１】本考案の第一実施例のプラスティックバンドの立体図である。
【図２】図１のプラスティックバンドの重ね溶接構造の使用状態図である。
【図３】図２のプラスティックバンドの重ね溶接構造部位の立体拡大図である。
【図４】図３のプラスティックバンドの重ね溶接構造部位断面の立体拡大図である。
【図５】図３のプラスティックバンド両端の重ね部位で加熱を行う状態の断面略図である。
【図６】本考案の第二実施例のプラスティックバンドの重ね溶接構造部位断面の立体分解図である。
【図７】本考案の第三実施例のプラスティックバンドの重ね溶接構造部位断面の立体分解図である。
【図８】本考案の第四実施例のプラスティックバンドの重ね溶接構造部位断面の立体分解図である。
【考案を実施するための形態】
【００１４】
以下、本考案の構造と特徴および効果を、最良実施例と図面を参照しながら詳細に説明する。
【実施例】
【００１５】
（実施例１）
まず図１及び図２に示すように、図で分かるように、本考案のプラスティックバンド１(ストラッピングテープ)を連続延伸バンドに設け、ベストは連続して巻いた状態である。通常使用時には、プラスティックバンド１の一端を適切な長さを引っ張り出してから梱包を行い、プラスティックバンド１の一端と相対して裁断する別の一端を、加熱溶解する方法で一体に接続する。
【００１６】
図１から図５に示すように、本考案は熱可塑性ポリエチレン或いはポリプロピレン材料でプラスティックバンド１を作る。プラスティックバンド１の厚みは０．１〜０．５ｍｍ或いは０．１〜１ｍｍに設けることができ、しかもプラスティックバンド１は薄状の帯本体の表面に文字、図案を印刷するのに適する。図に示すように、プラスティックバンド１を長方形直線状の縦方向に延伸するプラスティックバンド本体１１に設け、プラスティックバンド本体１１は一つの第一端部１２、相対する一つの第二端部１３及び二つの相対して縦方向が平行であるサイド１４を具有する。プラスティックバンド本体１１の第一端部１２、第二端部１３の表面の端をお互い重ねるために、重ね接触面１５を形成する。第一端部１２、第二端部１３が互いに重ね接触面１５の間にあり、加熱ヘッド３の上下サイドにある複数の長方形加熱面３１に直接差し込んで素早く加熱する(図５を参照)。そして外向けに素早く加熱ヘッド３から外し、更に第一端部１２、第二端部１３を互いに素早く重ねて接触して加圧して結合することで、重ね接触面１５に、ベストな縦方向に延伸する熱溶解結合部１６及び未溶解結合部１７が分布して形成する。且つ、熱溶解結合部１６、未溶解結合部１７はそれぞれ間隔を開けて複数個設置することができる。更に各熱溶解結合部１６と未溶解結合部１７は互いにベストなのは、複数に交差排列して設置するものである。また、熱溶解結合部１６の総合の表面積は少なくとも重ね接触面１５の表面積の５０％より大きく、未溶解結合部１７の総合の表面積は、少なくとも重ね接触面１５の表面積の２０％より大きくする。
【００１７】
上述の本考案のプラスティックバンド１は第一端部１２、第二端部１３が互いに重ね接触面１５の間にあり、加熱ヘッド３の上下サイドにある加熱面３１に直接差し込んで素早く加熱することで、重ね接触面１５に、熱溶解結合部１６及び未溶解結合部１７が分布して形成する。更に未溶解結合部１７を使って、溶解過程においての熱溶解結合部１６の相対するサイドを遮ることで、加熱ヘッド３が外向けに溶解したプラスティックを引っ張り出すのを阻止することができるため、プラスティックバンド本体１１の第一端部１２、第二端部１３が互いに重ね接触面１５と熱溶解結合部１６で素早く溶解結合して固定し、且つ曲がって変形するのを避け、適切な重ね溶解結合の強度に達する。よって、プラスティックバンド１は薄い帯状で柔らかくギフトボックス或いは包装ボックス２を縛ることができ、強力で硬く包装ボックス２を束ねることで紙材が変形損壊するのを避け、且つ物品が緩んで脱落するのを防止し、製品の包装価値を高める。
【００１８】
（実施例２、実施例３、実施例４）
図４から図７に示すのは、本考案のプラスティックバンド１の重ね溶接構造を各種の実施例にて使用するものである。プラスティックバンド本体１１の第一端部１２、第二端部１３の表面は互いに重ね溶接し、重ね接触面１５を形成する。且つ熱溶解結合部１６及び未溶解結合部１７は互いに複数に交差排列して設置する。また、複数の熱溶解結合部１６、１６１、１６２と未溶解結合部１７、１７１、１７２は縦方向に延伸、或いは横方向に延伸、或いは斜め方向に延伸する矩形、或いは長方形にすることができる。その他、図８に示す実施例において、複数の熱溶解結合部１６３はまた、円形或いはその他の幾何形状で間隔を開けて設置することもできる。
【００１９】
なお、本考案では好ましい実施例を前述の通り開示したが、これらは決して本考案に限定するものではなく、当該技術を熟知する者なら誰でも、本考案の精神と領域を脱しない均等の範囲内で各種の変動や潤色を加えることができることは勿論である。
【符号の説明】
【００２０】
１  プラスティックバンド
１１  プラスティックバンド本体
１２  第一端部
１３  第二端部
１４  サイド
１５  重ね接触面
１６  熱溶接結合部
１６１  熱溶接結合部
１６２  熱溶接結合部
１６３  熱溶接結合部
１７  未溶解結合部
１７１  未溶解結合部
１７２  未溶解結合部
２  包装ボックス
３  加熱ヘッド
３１  加熱面
【図１】
0003206731.tif 000003
【図２】
0003206731.tif 000004
【図３】
0003206731.tif 000005
【図４】
0003206731.tif 000006
【図５】
0003206731.tif 000007
【図６】
0003206731.tif 000008
【図７】
0003206731.tif 000009
【図８】
0003206731.tif 000010